(57)【要約】【課題】  容易かつ適切に、グループを構成する機材を管理すること。【解決手段】  管理対象となる機材に装備され、当該機材に予め設定された固有の識別情報を含む機材情報を無線通信にて発信する機材情報発信手段２１〜２４と、機材情報発信手段から発信された機材情報を受信する受信手段３１，３２と、機材の識別情報を、複数の機材にて構成される予め定められたグループ毎に区別してグループ情報として登録するグループ情報登録手段１６と、受信手段にて受信した機材情報中の識別情報とグループ情報登録手段に登録されたグループ情報とを比較して、識別情報に対応する機材にてグループが構成されているか否かを判断するグループ管理手段１２と、を備えた。【選択図】図１
2006039959.tif 000002
【特許請求の範囲】
【請求項１】
管理対象となる機材に装備され、当該機材に予め設定された固有の識別情報を含む機材情報を無線通信にて発信する機材情報発信手段と、
前記機材情報発信手段から発信された前記機材情報を受信する受信手段と、
前記機材の識別情報を、複数の前記機材にて構成される予め定められたグループ毎に区別してグループ情報として登録するグループ情報登録手段と、
前記受信手段にて受信した機材情報中の識別情報と前記グループ情報登録手段に登録されたグループ情報とを比較して、前記識別情報に対応する前記機材にて前記グループが構成されているか否かを判断するグループ管理手段と、
を備えたことを特徴とする機材管理システム。
【請求項２】
前記グループ管理手段が、前記受信手段にて前記機材情報を受信した場合に当該機材情報中の識別情報に対応する前記機材が特定の位置に存在すると判断すると共に、当該特定の位置に存在すると判断された前記機材にて前記グループが構成されているか否かを判断する機能を有する、ことを特徴とする請求項１記載の機材管理システム。
【請求項３】
前記受信手段を複数備えると共に、
前記グループ管理手段が、同一の前記受信手段にて前記機材情報を受信した場合に当該機材情報中の識別情報に対応する前記機材が特定の位置に存在すると判断すると共に、当該特定の位置に存在すると判断された前記機材にて前記グループが構成されているか否かを判断する機能を有する、ことを特徴とする請求項１記載の機材管理システム。
【請求項４】
前記グループ管理手段が、前記グループ情報に基づいて当該グループが構成されていないと判断された場合に、その旨を併設された出力手段を介して外部に出力する機能を有する、ことを特徴とする請求項１，２又は３記載の機材管理システム。
【請求項５】
前記グループ情報登録手段が、前記グループを構成する前記機材の名称を前記識別情報に対応するよう予め記憶し、
前記グループ管理手段が、前記グループが構成されていないと判断されたグループにおいて、前記受信した機材情報中の識別情報と前記グループ情報とに基づいて、不在である前記機材の名称を特定して当該機材が不在である旨を前記出力手段を介して出力する機能を有する、ことを特徴とする請求項４記載の機材管理システム。
【請求項６】
前記グループ管理手段が、予め定められた一定の時間間隔毎に作動する、
ことを特徴とする請求項５記載の機材管理システム。
【請求項７】
前記グループ管理手段が、不在であると特定された前記機材の名称及び当該機材が不在である旨を、当該機材を含む前記グループを構成する機材の一覧と共に前記出力手段を介して出力する機能を有する、ことを特徴とする請求項５又は６記載の機材管理システム。
【請求項８】
特定の前記グループに属する前記複数の機材に装備された前記機材情報発信手段が、それぞれ同一の時間間隔にて前記機材情報の発信を行う機能を有する、ことを特徴とする請求項１，２，３，４，５，６又は７記載の機材管理システム。
【請求項９】
特定の前記グループに属する前記複数の機材に装備された前記機材情報発信手段が、それぞれ同一の時間間隔にて前記機材情報の発信を行うよう当該各機材情報発信手段の動作を制御する発信動作制御手段を備えた、ことを特徴とする請求項１，２，３，４，５，６又は７記載の機材管理システム。
【請求項１０】
前記グループ管理手段が、前記受信手段にて前記機材情報発信手段から受信した前記機材情報の受信信号強度から当該機材情報発信手段が装備された前記機材の位置を特定して、当該位置に基づいて前記グループを構成する複数の機材が一定の範囲に存在しているか否かを判断することにより前記グループが構成されているか否かを判断する機能を有する、ことを特徴とする請求項１，２，３，４，５，６，７，８又は９記載の機材管理システム。
【請求項１１】
前記機材情報発信手段が、自己の存在する位置を表す位置情報を検出すると共に当該位置情報を前記機材情報に含めて発信する機能を有し、
前記グループ管理手段が、前記受信手段にて受信した前記機材情報に含まれる前記位置情報に基づいて、前記グループを構成する複数の機材が一定の範囲に位置しているか否かを判断することにより前記グループが構成されているか否かを判断する機能を有する、ことを特徴とする請求項１，２，３，４，５，６，７，８又は９記載の機材管理システム。
【請求項１２】
管理対象となる複数の機材にて予めグループを構成し、これら各機材に装備され、当該機材に予め設定された固有の識別情報と前記グループを特定すると共に当該グループの構成を表すグループ構成情報とを含んだ機材情報を無線通信にて発信する機材情報発信手段と、
前記機材情報発信手段から発信された前記機材情報を受信する受信手段と、
前記受信手段にて受信した前記機材情報に含まれる各情報に基づいて、当該受信した機材情報に対応する機材にて前記グループが構成されているか否かを判断するグループ管理手段と、
を備えたことを特徴とする機材管理システム。
【請求項１３】
前記グループ管理手段が、前記受信した機材情報中の前記グループ構成情報にて特定されるグループを構成する各機材に対応する前記識別情報を受信したか否かにより前記グループが構成されているか否かを判断する機能を有する、ことを特徴とする請求項１２記載の機材管理システム。
【請求項１４】
管理対象となる機材に装備された当該機材に予め設定された固有の識別情報を含む機材情報を無線通信にて発信する機材情報発信手段から当該機材情報を受信する受信手段に接続され、
前記受信手段を介して前記機材情報を受信する機材情報収集手段と、
前記機材の識別情報を複数の前記機材にて構成される予め定められたグループ毎にグループ情報として登録するグループ情報登録手段と、
前記受信した機材情報中の前記識別情報と前記グループ情報登録手段に登録されたグループ情報とを比較して、前記識別情報に対応する前記機材にて前記グループが構成されているか否かを判断するグループ管理手段と、
を備えたことを特徴とする機材管理サーバ。
【請求項１５】
管理対象となる複数の機材にそれぞれ装備された当該機材に予め設定された固有の識別情報を含む機材情報を無線通信にて発信する機材情報発信手段から当該機材情報を受信する受信手段に接続されると共に、前記機材の識別情報を複数の前記機材にて構成される予め定められたグループ毎に区別してグループ情報として予め登録されたコンピュータを用いて、
前記受信手段を介して前記機材情報を受信する受信工程と、
この受信工程にて受信した機材情報中の識別情報と前記コンピュータに登録されたグループ情報とを比較する比較工程と、
この比較により前記識別情報に対応する前記機材にて前記グループが構成されているか否かを判断するグループ管理工程と、
を備えたことを特徴とする機材管理方法。
【請求項１６】
管理対象となる複数の機材にそれぞれ装備された当該機材に予め設定された固有の識別情報を含む機材情報を無線通信にて発信する機材情報発信手段から当該機材情報を受信する受信手段に接続されると共に、前記機材の識別情報を複数の前記機材にて構成される予め定められたグループ毎に区別してグループ情報として予め登録されたコンピュータに、
前記受信手段を介して前記機材情報を受信する受信工程と、
この受信工程にて受信した機材情報中の識別情報と前記コンピュータに登録されたグループ情報とを比較する比較工程と、
この比較により前記識別情報に対応する前記機材にて前記グループが構成されているか否かを判断するグループ管理工程と、
を実現するための機材管理用プログラム。
【発明の詳細な説明】
【技術分野】
【０００１】
本発明は、機材管理システムにかかり、特に、複数の機材にてグループ化されて構成される機材をグループ単位で管理する機材管理システムに関する。また、機材管理方法及び機材管理用プログラムに関する。
【背景技術】
【０００２】
企業では、例えばパソコンやコピー機、特定の業務向け機材などは資産として所有していることとなり、税制上の資産把握や盗難防止等の視点からこれら資産の管理を行っている。これら資産管理で従来行われている方法としては、各資産に資産番号のシールやバーコードを貼り付け、それぞれがどのような資産として管理されているかを台帳や計算機上のデータベースに登録する手法が採られている。
【０００３】
また、特許文献１に示すように、ＲＦＩＤ技術を用いて管理する方法も行われている。そして、ＲＦＩＤには電池を内蔵していないタイプのパッシブ型と電池内臓のアクティブ型のものがある。ここで、アクティブ型のＲＦＩＤのタグを用いて資産管理を行う例を図５に示す。図５では、管理対象をパソコン１００とし、当該パソコン１００を構成するパソコン本体１０１、ディスプレイ１０２、マウス１０３、キーボード１０４のうち、パソコン本体１０１に対しアクティブタグ１０５を貼り付けて管理を行っている。
【０００４】
ここで、アクティブタグ１０５は、例えば３１５ＭＨｚの周波数であらかじめ定められた一定時間毎に、個々のアクティブタグ毎に異なるＩＤ番号を情報として含む電波を発信する（例えば１０秒毎）。これら電波は数メートルほど離れた受信機１０６にて検出可能である。受信機１０６では、上記タグ１０５からの電波を受信し、そのＩＤ情報から各アクティブタグ１０５のうちどのパソコンからのものであるかを判定する。なお、図５に示すように、受信機から数メートルの範囲内にパソコン１００が存在する場合は、定期的に受信機１０６にて電波が受信される。またパソコン１００が他の部屋等に移動された場合は受信機１０６に電波が受信されなくなることにより移動されたことが自動的に検出される。
【０００５】
そして、上述した例では、受信機１０６に電波が受信されるかどうかのみを存在するかどうかの判断基準としていたが、例えば図６に示すように、アクティブタグ２０４からの電波が届く範囲に複数の受信機２０１、２０２、２０３を設置し、かかる場合に、各受信機にて受信する電波の電界強度を測定することにより、アクティブタグから各受信機２０１、２０２、２０３までの距離ｄ１，ｄ２，ｄ３の概算値を導出することも可能である。
【０００６】
【特許文献１】特開２００３−３７５２２号公報
【発明の開示】
【発明が解決しようとする課題】
【０００７】
しかしながら、上記従来例では、個々の機器ごとにアクティブタグを付与し管理するため、帳簿上の単位と一致せず、帳簿上複数の機材や物品から構成されるシステムの管理がユーザーに分かり難い、という問題が生じていた。さらに、機器の場所が移動していた場合には、その機材が存在していることは確認できるものの、グループ化された各機材が同一箇所に設置されて初めて使用可能となるシステムでは、もはやその使用ができず、使用するためには元の位置に戻さなければならない、という手間も生じ、常に使用可能であるか、とういことまでを迅速に認識することは困難である。
【０００８】
このため、本発明では、上記従来例に有する不都合を改善し、特に、グループ化された機材を当該グループ毎に管理することにより、管理の正確化及び容易化を図ることができる機材管理システムを提供することをその目的とする。
【課題を解決するための手段】
【０００９】
そこで、本発明における機材管理システムの一形態として、
管理対象となる機材に装備され、当該機材に予め設定された固有の識別情報を含む機材情報を無線通信にて発信する機材情報発信手段と、
機材情報発信手段から発信された機材情報を受信する受信手段と、
機材の識別情報を、複数の機材にて構成される予め定められたグループ毎に区別してグループ情報として登録するグループ情報登録手段と、
受信手段にて受信した機材情報中の識別情報とグループ情報登録手段に登録されたグループ情報とを比較して、識別情報に対応する機材にてグループが構成されているか否かを判断するグループ管理手段と、
を備えたことを特徴としている。
【００１０】
上記構成にすることにより、まず、グループ化された複数の機材にそれぞれ装備された機材情報発信手段から常時識別情報が発信され、これが受信手段にて受信される。そして、受信した複数の機材の識別情報によって、予め登録されたグループが構成されているかどうかがグループ管理手段にて判断される。従って、複数の機材にて構成されるグループ化されたシステムの内の機材の有無を自動的に管理することができる。
【００１１】
また、グループ管理手段が、受信手段にて機材情報を受信した場合に当該機材情報中の識別情報に対応する機材が特定の位置に存在すると判断すると共に、当該特定の位置に存在すると判断された機材にてグループが構成されているか否かを判断する機能を有する、ことを特徴としている。
【００１２】
また、受信手段を複数備えると共に、
グループ管理手段が、同一の受信手段にて機材情報を受信した場合に当該機材情報中の識別情報に対応する機材が特定の位置に存在すると判断すると共に、当該特定の位置に存在すると判断された機材にてグループが構成されているか否かを判断する機能を有する、ことを特徴としている。
【００１３】
上記構成にすることにより、特定の受信手段にて、識別情報を受信したか否かのみで所定の位置における機材の存否を判断することができるため、送受信手段の構成の簡略化を図ることができる。
【００１４】
また、グループ管理手段が、グループ情報に基づいて当該グループが構成されていないと判断された場合に、その旨を併設された出力手段を介して外部に出力する機能を有する、ことを特徴としている。
【００１５】
また、グループ情報登録手段が、グループを構成する機材の名称を識別情報に対応するよう予め記憶し、
グループ管理手段が、グループが構成されていないと判断されたグループにおいて、受信した機材情報中の識別情報とグループ情報とに基づいて、不在である機材の名称を特定して当該機材が不在である旨を出力手段を介して出力する機能を有する、ことを特徴としている。
【００１６】
また、グループ管理手段が、予め定められた一定の時間間隔毎に作動する、ことを特徴としている。
【００１７】
また、グループ管理手段が、不在であると特定された機材の名称及び当該機材が不在である旨を、当該機材を含むグループを構成する機材の一覧と共に出力手段を介して出力する機能を有する、ことを特徴としている。
【００１８】
上記構成にすることで、グループを構成する機材の内、不在の機材を特定することができ、その旨が出力される。従って、管理者が迅速に認識することができ、これ対する対応を迅速に採ることができる。
【００１９】
また、特定のグループに属する複数の機材に装備された機材情報発信手段が、それぞれ同一の時間間隔にて機材情報の発信を行う機能を有する、ことを特徴としている。
【００２０】
また、特定のグループに属する複数の機材に装備された機材情報発信手段が、それぞれ同一の時間間隔にて機材情報の発信を行うよう当該各機材情報発信手段の動作を制御する発信動作制御手段を備えた、ことを特徴としている。
【００２１】
上記構成にすることにより、機材情報発信手段から発信される機材情報を前回の受信時から一定時間経過後に受信できなかった場合には、当該機材が不在であると判断できるため、機材の存否の判断が容易となる。
【００２２】
また、グループ管理手段が、受信手段にて機材情報発信手段から受信した機材情報の受信信号強度から当該機材情報発信手段が装備された機材の位置を特定して、当該位置に基づいてグループを構成する複数の機材が一定の範囲に存在しているか否かを判断することによりグループが構成されているか否かを判断する機能を有する、ことを特徴としている。
【００２３】
また、機材情報発信手段が、自己の存在する位置を表す位置情報を検出すると共に当該位置情報を機材情報に含めて発信する機能を有し、
グループ管理手段が、受信手段にて受信した機材情報に含まれる位置情報に基づいて、グループを構成する複数の機材が一定の範囲に位置しているか否かを判断することによりグループが構成されているか否かを判断する機能を有する、ことを特徴としている。
【００２４】
上記構成にすることで、機材の現在位置の詳細を明確に特定することができ、グループ化されて設置されているか否かを判断精度が向上し、さらに、機材が移動した場合の具体的な移動位置を特定することで、当該機材の紛失防止をも図ることができる。
【００２５】
また、本発明の機材管理システムの別の形態として、
管理対象となる複数の機材にて予めグループを構成し、これら各機材に装備され、当該機材に予め設定された固有の識別情報とグループを特定すると共に当該グループの構成を表すグループ構成情報とを含んだ機材情報を無線通信にて発信する機材情報発信手段と、
機材情報発信手段から発信された機材情報を受信する受信手段と、
受信手段にて受信した機材情報に含まれる各情報に基づいて、当該受信した機材情報に対応する機材にてグループが構成されているか否かを判断するグループ管理手段と、
を備えたことを特徴としている。
【００２６】
このとき、グループ管理手段が、受信した機材情報中のグループ構成情報にて特定されるグループを構成する各機材に対応する識別情報を受信したか否かによりグループが構成されているか否かを判断する機能を有する、ことを特徴としている。
【００２７】
上記構成にしても、機材に装備された機材情報発信手段にグループ情報が記憶されており、これを機材情報に含めて機材管理サーバが取得することで、上述同様の作用を得ることができ、上記目的を達成することができる。
【００２８】
さらに、本発明では、上記機材管理システムを構成する機材管理サーバをも提供しており、
管理対象となる機材に装備された当該機材に予め設定された固有の識別情報を含む機材情報を無線通信にて発信する機材情報発信手段から当該機材情報を受信する受信手段に接続され、
受信手段を介して機材情報を受信する機材情報収集手段と、
機材の識別情報を複数の機材にて構成される予め定められたグループ毎にグループ情報として登録するグループ情報登録手段と、
受信した機材情報中の識別情報とグループ情報登録手段に登録されたグループ情報とを比較して、識別情報に対応する機材にてグループが構成されているか否かを判断するグループ管理手段と、
を備えたことを特徴としている。
【００２９】
また、本発明では、機材管理方法を提供しており、
管理対象となる複数の機材にそれぞれ装備された当該機材に予め設定された固有の識別情報を含む機材情報を無線通信にて発信する機材情報発信手段から当該機材情報を受信する受信手段に接続されると共に、機材の識別情報を複数の機材にて構成される予め定められたグループ毎に区別してグループ情報として予め登録されたコンピュータを用いて、
受信手段を介して機材情報を受信する受信工程と、
この受信工程にて受信した機材情報中の識別情報とコンピュータに登録されたグループ情報とを比較する比較工程と、
この比較により識別情報に対応する機材にてグループが構成されているか否かを判断するグループ管理工程と、
を備えたことを特徴としている。
【００３０】
また、本発明では、機材管理用プログラムを提供しており、
管理対象となる複数の機材にそれぞれ装備された当該機材に予め設定された固有の識別情報を含む機材情報を無線通信にて発信する機材情報発信手段から当該機材情報を受信する受信手段に接続されると共に、機材の識別情報を複数の機材にて構成される予め定められたグループ毎に区別してグループ情報として予め登録されたコンピュータに、
受信手段を介して機材情報を受信する受信工程と、
この受信工程にて受信した機材情報中の識別情報とコンピュータに登録されたグループ情報とを比較する比較工程と、
この比較により識別情報に対応する機材にてグループが構成されているか否かを判断するグループ管理工程と、
を実現するための機材管理用プログラムである。
【００３１】
上述したように、機材管理サーバ、機材管理方法、機材管理用プログラムを構成することで、上記機材管理システム同様に作用するため、上記目的を達成することができる。
【発明の効果】
【００３２】
本発明は、以上のように構成され機能するので、これによると、複数の機材にて構成されるグループ化されたシステムの内の機材の有無を自動的に管理することができるため、管理の正確化及び容易化を図ることができ、これにより、グループを構成する機材の一部の紛失を有効に抑制することができる、という従来にない優れた効果を有する。
【発明を実施するための最良の形態】
【００３３】
本発明は、複数の機材にてシステムを構成するなど、グループを構成する機材をグループ毎に管理することを特徴としている。このため、各機材に、当該機材固有の識別情報を発信する発信手段を備え、かかる発信情報をコンピュータにて受信して処理することにより機材管理を行う、ことを基本的な構成としている。以下、本発明の構成の詳細を、実施例にて説明する。
【実施例１】
【００３４】
本発明の第１の実施例を、図１乃至図４を参照して説明する。図１は、本発明の全体構成を示す概略図であり、図２は、機材管理サーバの構成を示す機能ブロック図である。図３は、管理時に機材管理サーバに表示される画面の一例を示す図であり、図４は、本発明の動作を示すフローチャートである。
【００３５】
＜全体構成＞
本発明である機材管理システムは、管理処理を行う機材管理サーバ１と、各機材４１〜４４に装備された発信機２１〜２４（機材情報発信手段）と、この発信機２１〜２４からの発信情報を受信する受信機３１，３２（受信手段）と、を備えている。そして、発信機２１〜２４と受信機３１，３２とは無線通信にてデータの送受信が可能であり、また、受信機３１，３２は無線あるいは有線によるネットワークＮを介して機材管理サーバ１に接続されている。
【００３６】
なお、本実施例においては、発信機２１〜２４が取り付けられた管理対象は、パーソナルコンピュータシステム（以下、パソコンという）としてグループ化されたものであり、具体的には、当該パソコンであるグループを構成する、パソコン本体４１、ディスプレイ４２、キーボード４３、マウス４４などが、管理対象である個々の機材である。但し、管理対象の機材にて構成されるグループは上記グループに限定されない。例えば、図１に示すパソコンに、さらにプリンタやＤＶＤドライブなどの機材が加えられてグループを構成していてもよい。また、管理対象となる機材は、上記パソコンの構成物品に限定されない。
【００３７】
以下、主に本発明を構成する機材管理サーバ１、発信機２１〜２４、受信機３１，３２について、さらに詳述する。
【００３８】
＜発信機＞
発信機２１〜２４は、個々の機材（パソコン本体４１、ディスプレイ４２、キーボード４３、マウス４４）にそれぞれ装備されており、具体的には、電池内臓のアクティブ型のＲＦＩＤタグにて形成されている。従って、その構成は簡易かつ薄型に形成されており、各機材４１〜４４の外面に張り付けることにより装備されている。但し、発信機２１〜２４の取り付け方法は上記方法に限定されず、例えば、ＲＦＩＤタグ２１〜２４が剥離することを抑制して管理を確実なものとするために、各機材４１〜４４に内蔵してもよい。
【００３９】
そして、発信機であるＲＦＩＤタグ２１〜２４は、記憶部を装備しており、個々の機材４１〜４４に予め設定された固有の識別情報であるＩＤが、それぞれ対応するタグ２１〜２４内の記憶部に記憶されている。例えば、パソコン本体４１に装着されているＲＦＩＤタグ２１には、パソコン本体４１に予め設定されたＩＤが記憶される。
【００４０】
また、ＲＦＩＤタグ２１〜２４は、３１５ＭＨｚの周波数であらかじめ定められた一定時間毎（例えば、１０秒毎）に、上記ＩＤから成る機材情報を含む電波を発信する機能を有する。そして、この発信された機材情報から成る電波は、数メートルほど離れた受信機３１，３２にて検出可能である。本実施例では、ある部屋（後述する、居室１０１号）に管理対象であるパソコン４１〜４４が設置されており、当該部屋に所定の受信機３１も設置されている場合に、当該一の受信機３１にてタグ２１〜２４から発信される電波が受信可能なよう、当該電波の受信可能範囲が設定されている。従って、タグ２１〜２４が当該部屋に存在する場合には、別の部屋に存在する受信機３２ではその発信情報を受信することはできない。
【００４１】
なお、ＲＦＩＤタグ２１〜２４の発信は、同一の時間間隔にて、同一時刻に発信するよう全てのタグ２１〜２４が設定されている。但し、発信間隔は、上記間隔に限定されず、また、一定の間隔にて発信されていることに限定されない。また、電波の届く距離、すなわち、電波の強度なども、上記距離に限定されず、後述するように、設置される受信機３１，３２に対する位置に応じて設定される。
【００４２】
ここで、発信機２１〜２４は、上記アクティブ型のＲＦＩＤタグにて構成されることに限定されず、電池を内蔵していないタイプのパッシブ型のものであってもよい。かかる場合には、受信機３１，３２からの電波の発信を受信して、これに応じてＩＤを含む電波を送信するよう作動する。なお、発信機２１〜２４は、ＲＦＩＤタグにて構成されておらず、他の発信機能を有する発信装置にて構成されていてもよい。
【００４３】
＜受信機＞
受信機３１，３２は、管理対象のパソコン４１〜４４が設置される個々の部屋などに、それぞれ設けられ、各部屋内に設置されたパソコン４１〜４４に装備されたＲＦＩＤタグ２１〜２４からのみ、電波を受信可能な設置されている。例えば、図１の例では、符号３１に示す受信機のみがＲＦＩＤタグ２１〜２４からの発信電波を受信可能であり、符号３２に示す受信機では受信不可能な位置に設置されている。
【００４４】
そして、上述したように、受信機３１，３２はネットワークＮを介して機材管理サーバ１に接続されており、当該ネットワークＮを介して、ＲＦＩＤタグ２１〜２４から受信した機材情報を機材管理サーバ１に送信する機能を有する。
【００４５】
ここで、複数の受信機３１，３２には、それらを区別する固有の識別情報である受信機ＩＤが設定されている。そして、上述したように、ＲＦＩＤタグ２１〜２４から受信機が受信した機材情報に、上記受信機ＩＤを付加して機材管理サーバ１に送信する。これに対応して、後述するように、各受信機ＩＤに関連付けられて当該受信機の位置情報が機材管理サーバ１に予め登録されている。これにより、機材管理サーバ１は、いかなる場所に設置された受信機３１，３２から機材情報を受信したかということを認識することができる。
【００４６】
なお、受信機３１，３２は、パソコン４１〜４４が設置されうる部屋毎に設置されていることに限らず、ＲＦＩＤタグ２１〜２４の通信距離に応じて、複数が適度な距離を空けて設置されていてもよい。
【００４７】
＜機材管理サーバ＞
次に、機材管理サーバ１の構成について、図２を参照して説明する。記事吾管理サーバ１は、一般的なサーバコンピュータにて構成されており、演算装置であるＣＰＵ（１Ａ）と、記憶装置であるハードディスクやＲＡＭ，ＲＯＭなどのメモリ（１Ｂ）と、表示装置であるディスプレイ１Ｃと、入力装置である図示しないキーボードやマウスなど、を備えている。また、上述したように、受信機３１，３２とネットワークＮにて接続可能なよう、通信装置も装備している。以下、特にＣＰＵ（１Ａ）とメモリ（１Ｂ）内の構成について詳述する。
【００４８】
まず、メモリ（１Ｂ）には、受信機位置情報記憶部１５が形成されており、受信機３１，３２を区別する固有の識別情報である受信機ＩＤと、当該受信機３１，３２が設置されている位置情報と、が関連付けられて記憶されている。例えば、図１にて符号３１に示す受信機が居室１０１号に設置されている場合には、当該受信機ＩＤと居室１０１号を表す位置情報とが関連付けられて記憶されている。また、図１にて符号３２に示す受信機が会議室Ａに設置されている場合には、当該受信機ＩＤと会議室Ａを表す位置情報とが関連付けられて記憶されている。さらに他の受信機が存在する場合には、それらについても同様に、受信機ＩＤと位置情報とが予め設定されて記憶されている。
【００４９】
また、メモリ（１Ｂ）には、機材（パソコン本体４１やディスプレイ４２など）毎に設定されたＩＤを予め定められたグループ毎に区別して表したグループ情報が、グループ情報記憶部１６（グループ情報登録手段）に記憶されている。このグループ情報について詳述すると、例えば、図１に示すパソコンが一つのグループを構成しており、当該パソコンを構成するパソコン本体４１と、ディスプレイ４２と、キーボード４３と、マウス２４とが、同一グループに属するものとしてそれらのＩＤが関連付けられて記憶されている。例えば、各グループを区別するグループ識別情報としてグループ名「事務処理用共用ＰＣ」が設定されており、そのグループ名に各機材のＩＤが関連付けられている。また、グループ情報内の各機材のＩＤには、当該機材の名称も関連付けられて記憶されている。さらに、各グループの設置場所が、上述した受信機３１，３２の位置を表す位置情報と同様のデータを用いて、各グループの識別情報に関連付けて記憶されている。例えば、図１のパソコンの設置場所が、当該パソコンのグループ名と、設置場所である居室１０１号を表す位置情報とが関連付けられて記憶されている。
【００５０】
次に、ＣＰＵ（１Ａ）の構成について詳述する。ＣＰＵ（１Ａ）には、予めメモリ（１Ｂ）に記憶された、あるいは、ＣＤ−ＲＯＭなどの可搬媒体にて提供された機材管理用プログラムが組み込まれることにより、以下のような各処理部１１〜１３が構築される。なお、上記プログラムは、ネットワークＮを介して他のコンピュータから提供されるなど、他の手法にて機材管理サーバ１に提供されてもよい。以下、各処理部１１〜１３の機能について詳述する。
【００５１】
まず、ＣＰＵ（１Ａ）には、上記受信機３１，３２が各ＲＦＩＤタグ２１〜２４から受信した機材情報を、当該受信機３１，３２から受信する信号収集処理部１１（機材情報収集手段）が構築されている。この信号収集処理部１１は、機材管理サーバ１に接続されている全ての受信機３１，３２から、当該受信機３１，３２からの送信に応じて機材情報を収集する。
【００５２】
また、ＣＰＵ（１Ａ）には、機材情報中の識別情報とメモリ（１Ｂ）のグループ情報記憶部１６に登録されたグループ情報とを比較して、識別情報に対応する機材にてグループが構成されているか否かを判断するグループ管理処理部１２（グループ管理手段）が構築されている。このグループ管理処理部１２の機能を詳述すると、まず、機材情報内からＩＤを抽出すると共に、このＩＤにて特定される機材の現在位置を表す受信機ＩＤを抽出する。そして、当該受信機ＩＤとメモリ（１Ｂ）に記憶された受信機位置情報記憶部内の情報とに基づいて、機材の現在位置を特定する。例えば、あるＩＤの機材は、符号３１に示す受信機を経由して受信したため、「居室１０１号」に存在する、と判断する。
【００５３】
そして、上記機材のＩＤと、特定された現在位置と、グループ情報内に記憶されている当該機材を含むグループの設置位置とに基づいて、機材の現在位置が予め設定された設置位置に一致するか否かを判断する。一致していない場合には、機材の位置が移動したと判断する。
【００５４】
あるいは、一定時間内において、特定の機材のＩＤが受信されるか否かをも監視し、受信されていない場合にも機材の位置が移動したと判断する。なお、かかる監視処理は、受信した機材情報内のＩＤと、グループ情報とに基づいて行われる。
【００５５】
そして、所定の機材の位置が移動したと判断すると、当該機材を含むグループを構成する機材一式全てが移動したか、あるいは、特定の機材のみが移動したか、ということを判断する。このため、機材情報中の機材のＩＤとメモリ（１Ｂ）のグループ情報記憶部１６に登録されたグループ情報とを比較して、同一位置においてグループが構成されているか否かを判断する。例えば、符号３１の受信機から機材４１〜４４のＩＤ（ＲＦＩＤタグ２１〜２４から発信されたもの）を受信すると、これらが同一グループのものであるか否かがグループ情報に基づいて判断される。このとき、機材４１〜４４にて構成されるパソコンが、さらに他の機材を含む旨がグループ情報に記憶されている場合には、グループが構成されなかったと判断される。また、一つの機材のＩＤでも欠けていれば、グループが構成されなかったと判断される。さらには、ある機材のＩＤが、異なる受信機（例えば、符号３２に示す受信機）にて受信されたものである場合には、同一場所にてグループを構成していないと判断される。
【００５６】
そして、上記判断が一定の時間間隔毎に行われ、上述したように、移動した機材、あるいは、ＩＤを受信できなかった機材を特定し、当該機材が含まれるグループ名と、機材名をグループ情報を参照して特定する。例えば、符号３１の受信機から受信したＩＤは、機材であるパソコン本体４１とキーボード４３とマウス４４にそれぞれ装備されたＲＦＩＤタグから発信されたものであり、ディスプレイ４２のＩＤだけ符号３２の受信機から受信した場合には、ディスプレイ４２の位置が移動され、かつ、グループを構成していないと判断されるため、そのグループ名である「事務処理用共用ＰＣ」と、機材名「ディスプレイ」が特定される。そして、グループが構成されなかった旨、及び、足りない機材がディスプレイである旨、さらに、当該ディスプレイのＩＤが検出された位置情報（受信機位置情報から）を、ＣＰＵ（１Ａ）に構築された警告制御処理部１３（グループ管理手段）に通知する。
【００５７】
このとき、グループ管理処理部１２は、グループ情報として予め記憶されたグループの所在値情報と、機材の位置情報とを比較して、元の位置に存在しているかどうかを確認する。このとき、グループを構成する機材一式は同一場所に揃っているものの、予め登録された位置とは異なっている場合には、操作者に対して位置の登録を変更するかどうかを問い合わせ、当該操作者からの指示に基づいてグループの位置を変更するか否かを決定する。そして、変更する場合には、操作者からの変更指示に基づいてグループ情報を書き換える。
【００５８】
上記警告制御処理部１３は、各機材が予め設定したグループにて管理されていない旨、また、グループを構成する機材一覧と共にグループが所在する位置から不在となった機材の名称、さらには、当該機材が現在存在している場所、などを、機材管理サーバ１のディスプレイ１Ｃに出力するよう制御する。例えば、図３に示す画面を表示する。この例では、ディスプレイ４２がグループから離れて存在し、かつ、その場所は会議室Ａである、旨を示している。
【００５９】
ここで、上記グループ管理処理部１２は、上述したように警告表示された機材の構成にて新たなグループを構成するか否かとういことを操作者に問い合わせ、変更する旨の指示があった場合には、その指示に基づいてグループ情報を変更して記憶する。
【００６０】
＜動作＞
次に、本実施例１における機材管理システムの動作、特に、機材管理サーバ１のグループ管理処理部１２及び警告制御処理部１３の動作を、図４のフローチャートを参照して説明する。なお、かかる動作説明時では、上述したように、居室１０１号に図１に示すパソコン本体４１、ディスプレイ４２、キーボード４３、マウス４４が、「事務処理用共用パソコン」というグループ名で、グループを構成した一式の機材として、グループ情報記憶部１６に記憶されている。
【００６１】
まず、機材管理者が、機材管理サーバ１に対してかかる管理開始操作することにより、機材管理が開始される。そして、各機材４１〜４４に装備されたＲＦＩＤタグ２１〜２４は、例えば１秒ごとに電波を発信しており、受信機３１，３２ではこれら電波を受信し、かかる電波に含まれる機材情報が機材管理サーバ１にて収集される（受信工程）。
【００６２】
そして、機材管理サーバ１では、受信した機材情報内のＩＤや、当該機材情報を収集した受信機ＩＤ、さらには、予め記憶されているグループ情報を参照することで、ある機材が移動されたことを認識する。
【００６３】
ここで、ディスプレイ４２だけが受信機３１では電波を受信することのできない場所にある会議室Ａに移動されたものとする。すると、グループ管理処理では、受信機３１にてディスプレイ４２に装備されたＲＦＩＤタグ２２に記憶されたＩＤを含む電波が一定時間内に受信できなり、一方で、受信機３２では受信できるため、グループ情報を参照することで、ディスプレイ４２が当初の設置位置である居室１０１号から会議室Ａに移動したことが検出される（ステップＳ１）。なお、ディスプレイ４２のＩＤが当初の設置位置にある受信機３１にて受信されなかったことを検出し、このこととグループ情報とを参照して、当該ディスプレイ４２の移動を検出してもよい。
【００６４】
続いて、受信した他の機材からのＩＤとグループ情報とに基づいて、ディスプレイ４２と同じグループ一式に含まれる他の機材（パソコン本体４１、キーボード４３、マウス４４）のＩＤを受信した位置を調べ（比較工程）、グループを構成する機材の移動が一式（グループ）全部かどうか調べる（ステップＳ２、グループ管理工程）。すなわち、グループが構成されているか否かを調べる。
【００６５】
その結果、例えば、会議室Ａにある受信機３２にて、一式（グループ）全部のＩＤを受信している場合は、かかるグループを構成するパソコン一式が全て会議室Ａに移動したため、管理者はこのことを確認し、機材管理サーバ１を操作して、グループ情報内の機材の位置情報を変更する（ステップＳ６）。また、グループが構成されていないと判断され、移動は一式（グループ）全部でなくディスプレイ４２のみである場合には、機材管理者に対し機材管理サーバ１のディスプレイ１Ｃ上などに、図３に示したような警告を表示する（ステップＳ３）。
【００６６】
その後、一式（グループ）を今のままとするか、再編成する（例えばディスプレイ４２のみ別の管理対象一式とするなど）かを、機材管理者に選択させる（ステップＳ４）。機材一式（グループ）を今のままとする場合は、個々の位置等の情報をグループ情報に登録し（ステップＳ７）、再編成する場合は登録用の詳細情報を機材管理者に登録させる（ステップＳ５）。
【００６７】
以上のように、本発明では、複数の機材にて構成されるグループ化されたシステムの内の機材の有無を自動的に管理することができるため、管理の正確化及び容易化を図ることができ、グループを構成する機材の一部の紛失に対して迅速な対応を採ることができる。
【００６８】
なお、上述した機材管理サーバ１の構成によると、一部の機材の位置が移動した場合に、グループを構成しているか否かを判断するよう作動する構成であるが、かかる構成に限定されない。機材の移動を検知することなく、常に受信した複数の機材情報内のＩＤと、グループ情報とを用いて、グループが構成されているか否かを判断してもよい。そして、グループが構成されなかった場合に、受信できなかったＩＤを特定して、当該ＩＤから不在である機材を特定し、図３に示すような出力を行うよう作動してもよい。
【００６９】
ここで、上記では、機材が移動したり、紛失した場合の警告を、機材管理サーバ１のディスプレイ１Ｃに表示する場合を説明したが、警告はかかる手法に限定されない。例えば、あらかじめ定められたメールアドレスにメールにて通知する、あらかじめ定められた電話番号に電話をかけて録音音声もしくは音声合成にてその旨を伝えるという方法も考えられる。さらには、警察や警備会社に通告するという方法も採ってもよい。
【実施例２】
【００７０】
次に、本発明の第２の実施例を説明する。上記実施例１では、グループを構成する機材の設置されている位置情報を、機材管理サーバ１内にグループ情報として記憶する場合を例示したが、かかる構成に限定されない。本実施例では、さらに容量の多いメモリを有するアクティブタグや、アクティブ型のタグのかわりにパッシブ型のタグを使用することや、アクティブタグとパッシブ型のタグの両方を使用することで、機材のグループ情報をタグ内に記憶するという方法を採る。このような構成と、機材管理サーバ１内のグループ情報記憶部を併用することで、データの例えば一方が壊れても他方が残っているので保守性を向上させることが可能となる。なお、タグに記憶されるグループ情報は、機材が属するグループ名や当該グループを構成する他の機材のＩＤ、さらには、グループ一式の設置位置などである。
【００７１】
さらに、メモリ機能を有するタグを使用することで、例えば図４に示すステップＳ５の再編成等を行う際に、個々の機材が属した一式（グループ）名の履歴をタグ内にすべて記憶しておくという方法を採ってもよい。
【００７２】
具体的には、上述した機材４１〜４４に装備されるＲＦＩＤタグ２１〜２４に、予め機材に設定された固有のＩＤと、当該機材にて構成されるグループを特定すると共に当該グループの構成を表すグループ構成情報と、を記憶しておき、これら情報を含んだ機材情報を無線通信にて発信する。
【００７３】
すると、上記機材情報は、受信機３１，３２を介して機材管理サーバ１に伝わり、当該機材管理サーバ１では、受信した機材情報に含まれるグループ構成情報を上述したグループ情報記憶部１６に記憶されたグループ情報と同様に扱って、上記実施例１で説明した手法にて機材の管理処理を行う。すなわち、複数受信した機材情報を用いて、各情報に含まれるＩＤにて同一箇所にグループが構成されるか否かを管理し、グループを成してない場合には、その旨の警告を行う。
【実施例３】
【００７４】
次に、本発明の第３の実施例を説明する。本実施例では、機材情報発信手段であるＲＦＩＤタグ２１〜２４が、それぞれ同一の時間間隔にて機材情報の発信を行う機能を有する。あるいは、同一の時間間隔にて機材情報の発信を行うよう当該ＲＦＩＤタグ２１〜２４の動作を制御する発信動作制御手段を備えている。この発信動作制御手段は、各ＲＦＩＤタグ２１〜２４に対して無線にて動作指令信号を送信可能であり、これに応じてＲＦＩＤタグ２１〜２４は作動する機能を有する。
【００７５】
そして、発信動作制御手段は、ＲＦＩＤタグ２１〜２４の発信動作タイミングを検出する機能も有し、これらの発信タイミングが異なっていることを検出すると、機材管理サーバ１のディスプレイ上に、その旨を管理者に警告する機能を備えていてもよい。そして、管理者からの操作指令に応じて、各タグ２１〜２４に動作指令信号を送信して発信タイミングを制御する。あるいは、タイミングが異なっていることを検出したときに、自動的に動作指令信号をタグに送信して、その発信タイミングを制御してもよい。
【００７６】
なお、特定の機材のみ、例えばなんらかの理由で移動してしまう可能性が高い場合や、価格が高く紛失を極力避けたい場合などは、その機材だけ短い間隔で電波を発信するＲＦＩＤタグを用いてもよく、また、そのように作動するよう制御してもよい。さらに、その制御指令は、機材管理サーバ１から管理者が入力することで行ってもよい。
【実施例４】
【００７７】
次に、本発明の第４の実施例を説明する。上記実施例１では、ＲＦＩＤタグ２１〜２４から機材情報を受信した受信機３１，３２に応じて、機材の位置を特定する場合を例示したが、これに限定されない。
【００７８】
例えば、機材管理サーバ１が、機材情報を各受信機３１，３２にて受信したときの受信信号強度を計測し、かかる強度に応じてＲＦＩＤタグ２１〜２４の位置、すなわち、各機材４１〜４４の位置を特定してもよい。そして、特定した位置に基づいて、グループを構成する機材一式が、予め定められたある範囲内に位置しているか否かに応じて、上述同様にグループに属するか否かの管理を行ってもよい。
【００７９】
さらに、別の構成としては、ＲＦＩＤタグ２１〜２４あるいはその他発信機にて構成される機材情報発信手段が、自己の存在する位置を表す位置情報を検出する位置情報検出手段（例えば、ＧＰＳアンテナなど）を備えると共に、これにより検出した位置情報を機材情報に含めて発信する、という機能を有していてもよい。かかる場合には、機材管理サーバ１が、受信した機材情報に含まれる位置情報に基づいて、グループを構成する複数の機材が一定の範囲に位置しているか否かを判断することにより、上述同様に、グループが構成されているか否かを判断する機能を有する。このようにしても、上述同様に、機材のグループ管理を行うことができる。
【産業上の利用可能性】
【００８０】
本発明の機材管理システムは、企業内のオフィスや工場、研究所等において機材管理といった用途に適用でき、産業上の利用可能性を有する。
【図面の簡単な説明】
【００８１】
【図１】本発明の全体構成を示す概略図である。
【図２】図１に開示した機材管理サーバの構成を示す機能ブロック図である。
【図３】図１に開示した機材管理サーバに表示されるデータの一例を示す説明図である。
【図４】本発明の動作を示すフローチャートである。
【図５】従来例における機材管理システムの構成の一例を示す概略図である。
【図６】従来例における機材管理システムの構成の一例を示す概略図である。
【符号の説明】
【００８２】
１  機材管理サーバ
１１  信号収集処理部（機材情報収集手段）
１２  グループ管理処理部（グループ管理手段）
１３  警告制御処理部（グループ管理手段）
１６  グループ情報記憶部（グループ情報登録手段）
２１〜２４  ＲＦＩＤタグ（機材情報発信手段）
３１，３２  受信機（受信手段）
４１〜４４  機材
【図１】
2006039959.tif 000003
【図２】
2006039959.tif 000004
【図３】
2006039959.tif 000005
【図４】
2006039959.tif 000006
【図５】
2006039959.tif 000007
【図６】
2006039959.tif 000008